(57)【要約】
【課題】　差し込み口と電気機器の対応関係等を表示でき、装飾性に富んだコンセントケースの提供。
【解決手段】　カバー体１１と台座１２を係合して成り、内部に回路ユニットを収納した座体１に複数対の差し込み口１４を形成し、カバー体１１の表面に嵌合部１３を形成し、嵌合部１３に透明蓋２を嵌合し、透明蓋２に文字、図柄２２等の表示を設ける。
【選択図】　図２
0003099146.tif 000002
【実用新案登録請求の範囲】
【請求項１】
　回路ユニットを収納する座体と、透明蓋とを備え、前記座体は、カバー体と台座とを係合して成り、前記座体に複数対の差し込み口を形成し、前記カバー体の表面に嵌合部を形成し、前記透明蓋に文字、図柄等の表示を設け、該透明蓋を前記嵌合部に、その表示が表面から視認できるように嵌合したことを特徴とするコンセントケース。
【請求項２】
　前記嵌合部が前記差し込み口に隣り合って形成され、前記表示は複数の電気機器を表し、該表示の電気機器が、その表示位置に隣接する各差し込み口を介して給電される電気機器にそれぞれ対応している請求項１に記載のコンセントケース。
【請求項３】
　前記嵌合部内に、前記回路ユニットへ電気的に接続された発光体を設置した請求項１又は２に記載のコンセントケース。
【考案の詳細な説明】
【技術分野】
【０００１】
　複数の差し込み口を有する多穴コンセント用として好適なコンセントケースに関する。
【背景技術】
【０００２】
　多穴コンセントは、座体上に複数の差し込み口を形成すると共に、電源コードを介して電源に接続された回路ユニットを座体内部に収納して成り、座体上の複数の差し込み口が全て電源を得るようになっている。例えば、一般的な延長コンセントは、多穴コンセントの一種である。
　また、多穴コンセントとして、座体に電源プラグを設置し、この電源プラグを直接電源に差し込むことにより、座体上の各差し込み口が電源を得るものも知られている（特許文献１参照）。さらに、多穴コンセントには、二種類の異なる形態の差し込み口を備えたものもある（特許文献２参照）。
【０００３】
　どのようなタイプのものであれ、多穴コンセントは複数の差し込み口を有するので、各差し込み口にそれぞれプラグが差し込まれている場合、どのプラグがどの電気機器のものかの分別が難しく、ある電気機器のプラグを抜こうとして、別のプラグを抜いてしまい、電気機器への給電を誤ってストップさせてしまう状況が往々にして発生する。
　そこで、コンセントの固定座と上蓋との間に異なる色の判別片を設置し、該判別片に差し込み穴に対応する通孔を形成し、色によって電気機器を分別できるようにしたコンセントが提案されている（特許文献３参照）。
【０００４】
　しかし、このものは、次のような欠点がある。
　（１）色彩のみを分別の手段としているため、使用者が色と電気機器との対応関係を覚えておく必要があり、長期間使用している間に、各色にどの電気機器を接続してあるのか忘れやすい。
　（２）変圧器のプラグのように比較的大型のプラグを差し込むと、プラグが完全に判別片を覆い隠してしまい、使用者が判別片の色を見ることができなくなる虞がある。
【０００５】
　また、差し込み口の判別以外にも、多穴コンセントを販売したり記念品として送る際などに、座体上にステッカーなどを貼り付け、商標や、使用上の注意事項、製品の特徴、イベントの文字や図柄等を表示することが多いが、このようなステッカー類は、時間経過に伴う粘着性の低下や温度変化によって、剥がれ落ちてしまうことがある。一方、文字や図柄を印刷や烙印によって表示すると、剥がれ落ちることはないが、製造コストが大幅に上昇する。
【０００６】
【特許文献１】台湾特許第３８０７５９号明細書
【特許文献２】米国特許第６３９２１７１号明細書
【特許文献３】台湾特許第４２２４２３号明細書
【考案の開示】
【考案が解決しようとする課題】
【０００７】
　本考案が解決しようとする課題は、表示が破損したり摩耗しやすく、複数の差し込み口と電気機器との対応関係がはっきりしないため、電気機器の電源の入／切を誤りやすい点にある。
【課題を解決するための手段】
【０００８】
　本考案のコンセントケースは、上記課題を解決するために、回路ユニットを収納する座体と、透明蓋とを備え、前記座体は、カバー体と台座とを係合して成り、前記座体に複数対の差し込み口を形成し、前記カバー体の表面に嵌合部を形成し、前記透明蓋に文字、図柄等の表示を設け、該透明蓋を前記嵌合部に、その表示が表面から視認できるように嵌合してある。
　文字、図柄等による表示は、差し込み口と電気機器との対応関係、説明、使用方法、商標、装飾模様等であり、印刷、シール貼り付け、組立、エッチング、一体成形、レーザー加工等によって透明蓋に形成される。
【０００９】
　前記嵌合部が前記差し込み口に隣り合って形成され、前記表示は複数の電気機器を表し、該表示の電気機器が、その表示位置に隣接する各差し込み口を介して給電される電気機器にそれぞれ対応していることがある。
　夜間等の暗い時でも表示をはっきり見ることができるように、前記嵌合部内に、前記回路ユニットへ電気的に接続された発光体を設置しても良い。
【考案の効果】
【００１０】
　請求項１に係る考案によれば、差し込み口に接続されている電気機器、各種説明、使用方法、商標、装飾模様等を文字や図柄によって表示することができ、差し込み口に大型のプラグを差し込んでも表示が隠れてしまう虞が無い。
　また、透明蓋を交換することにより、容易に表示内容及び外観を変更することができ、透明蓋を設けたことによって、立体感のある装飾効果が得られる。
【００１１】
　請求項２に係る考案によれば、差し込み口とそこから給電されている電気機器との対応関係が、表示された電気機器によって一目でわかるので、電気機器への給電及びその停止を正確に行うことができる。
　請求項３に係る考案によれば、暗い場所であっても、発光体の光によって表示物の表示をはっきり見ることができ、発光体の光による装飾効果も得られる。
【考案を実施するための最良の形態】
【００１２】
　表示を破損や汚損から保護するという目的を、透明蓋の裏面に表示することで実現した。
【実施例１】
【００１３】
　本考案のコンセントケースは、図１及び図２に示すように、座体１と、透明蓋２とを備える。
　座体１は、カバー体１１と台座１２とを係合して成り、その内部に回路ユニットが収納されている。
　カバー体１１の上面一側には、複数対の差し込み口１４が一列に並んで形成される。座体１内に収納された回路ユニットには、これらの差し込み口１４に臨んで、それぞれ電源端子が配置されている。
　また、座体１の他側の側面には、各差し込み口１４に対応する電源端子への通電回路を開閉操作する複数のスイッチ１５が設置されている。
【００１４】
　カバー体１１の表面において、差し込み口１４の側方には、略長方形状の嵌合部１３が陥没して形成されている。
　嵌合部１３の一方の長辺両端部には、断面円形の軸受穴１３１が相対向するよう形成され、他方の長辺両端部には、それぞれ係止部１３２が形成されている。
【００１５】
　透明蓋２は、嵌合部１３とほぼ同じ形状・面積に形成され、図１に示すように、その一方の長辺両端部には、断面円形の軸突起２１が突出している。
　また、透明蓋２の下面には、複数の電気機器が図柄２２によって表示してある。
　そして、図２に示すように、軸突起２１を座体１の軸受穴１３１へ挿入し、他方の長辺両端部を座体１の係止部１３２で支持することにより、透明蓋２が嵌合部１３に嵌合され、透明蓋２の表示である図柄２２を表面から視認できる。
【００１６】
　なお、透明蓋２に表示された電気機器は、その表示位置に隣接する各差し込み口１４を介して給電される電気機器にそれぞれ対応するよう、プリント等により表示される。
　そして、透明蓋２に表示された電気機器と同じ電気機器のプラグ４，５を、隣接する図柄２２に対応する差し込み口１４に差し込むと、差し込み口１４及びスイッチ１５と電気機器との対応関係が一目でわかるので、誤って電気機器に対する給電を停止してしまうことがない。
　また、透明蓋２は差し込み口１４の側方に配置されているので、変圧器のプラグ４のように比較的大きいプラグを差し込んだ場合でも、図柄２２が隠れてしまう心配がない。
【実施例２】
【００１７】
　図３に示すように、カバー体１１Ａと台座１２Ａとを係合して成る座体１Ａが比較的幅広い場合、カバー体１１Ａの上面中央部に嵌合部１３Ａを長手方向に沿って形成してある。また、カバー体１１Ａの上面において、嵌合部１３Ａを挟んだ一側に複数対の差し込み口１４Ａが形成されると共に、他側に各差し込み口１４Ａと対応するスイッチ１５Ａが設置される。
　嵌合部１３Ａの一端はカバー体１１Ａの端縁（短辺）に達して開口しており、嵌合部１３Ａの両側縁（長辺）には、それぞれガイド溝１３３Ａが形成される。
【００１８】
　透明蓋２Ａの両側の長辺には、嵌合部１３Ａのガイド溝１３３Ａに摺動自在に係合される段部２３Ａが形成される。また、透明蓋２Ａの下面には、複数の電気機器が図柄２２Ａで表示されている。
　嵌合部１３Ａの開口した端部から、透明蓋２Ａの他方の短辺を差し込み、透明蓋２Ａの段部２３Ａをガイド溝１３３Ａに係合してスライドさせ、図柄２２Ａが表面から見えるように透明蓋２Ａを嵌合部１３Ａに嵌合する。
　その他の構成は実施例１とほぼ同様なので、詳細な説明は省略する。
【実施例３】
【００１９】
　座体１Ｂの巾が比較的狭い場合、図４に示すように、座体１Ｂの一側面に複数対の差し込み口１４Ｂを形成し、座体１Ｂの他側面に、それぞれ差し込み口１４Ｂと対応した複数のスイッチ１５Ｂを設置する。
　また、カバー体１１Ｂの上面に、その周囲部を除くほぼ全面に亘って嵌合部１３Ｂを形成すると共に、嵌合部１３Ｂの底面四隅部に位置決め穴１３４Ｂを設ける。
　透明蓋２Ｂの下面四隅部に、位置決め穴１３４Ｂへ挿入される位置決め突起２４Ｂをそれぞれ設ける。透明蓋２Ｂの下面には、複数の電気機器を表す図柄２２Ｂがプリント等により表示されている。
　そして、嵌合部１３Ｂへ透明蓋２Ｂを嵌合して、透明蓋２Ｂの位置決め突起２４Ｂを座体１Ｂの位置決め穴１３４Ｂに差し込んで、透明蓋２Ｂを固定する。
　その他の構成は、実施例１及び実施例２とほぼ同様である。
【実施例４】
【００２０】
　図５に示すように、カバー体１１Ｃの上面一側には複数対の差し込み口１４Ｃが形成され、座体１Ｃの他側寄りの側面に、カバー体１１Ｃ及び台座１２Ｃに亘って、各差し込み口１４Ａとそれぞれ対応する複数のスイッチ１５が設置される。
　また、カバー体１１Ｃの上面他側から連続して、カバー体１１Ｃ及び台座１２Ｃの側面（スイッチ１５Ｃが設置された側面）、さらに台座１２Ｃの下面に亘って嵌合部１３Ｃが形成される。そして、嵌合部１３Ｃの四隅部（カバー体１１Ｃ側の両端部及び台座１２Ｃ側の両端部）には、それぞれ挿入穴１３５Ｃが形成される。
【００２１】
　透明蓋２Ｃは、嵌合部１３Ｃを被覆するように断面コ字形に形成され、その四隅部には、嵌合部１３Ｃの挿入穴１３５Ｃに係脱可能に挿入される突出片２５Ｃが設けられる。
　また、透明蓋２Ｃの垂直片には、スイッチ１５Ｃの設置個所、大きさ、数に応じた複数のスイッチ用窓孔２６Ｃが形成され、透明蓋２Ｃの上部水平片の下面には複数の電気機器が図柄２２Ｃによって表示される。
　そして、嵌合部１３Ｃに透明蓋２Ｃをはめ込み、突出片２５Ｃを挿入穴１３５Ｃへ差し込んで、透明蓋２Ｃを固定する。また、スイッチ１５Ｃはそれぞれスイッチ用窓孔２６Ｃを通して透明蓋２Ｃの外側に露出させる。
　その他の構成は、実施例１乃至３とほぼ同様である。
【実施例５】
【００２２】
　図６に示すように、カバー体１１Ｄと台座１２Ｄとを係合して座体１Ｄを構成し、カバー体１１Ｄの上面全体を嵌合部１３Ｄとする。また、嵌合部１３Ｄの一側に複数対の差し込み口１４Ｄを形成すると共に、他側に複数のスイッチ１５Ｄを設置してある。
　さらに、嵌合部１３Ｄの四隅寄りには、位置決め穴１６Ｄが形成されている。
　透明蓋２Ｄは、嵌合部１３Ｄを被覆する大きさを有し、その下面の位置決め穴１６Ｄと対応する位置には、それぞれ位置決め突起２９Ｄが設けられる。
【００２３】
　また、透明蓋２Ｄの差し込み口１４Ｄと対応する位置にはそれぞれ差し込み口用窓孔２７Ｄが形成されると共に、スイッチ１５Ｄと対応する位置にはスイッチ用窓孔２８Ｄが形成される。
　差し込み口用窓孔２７Ｄとスイッチ用窓孔２８Ｄとの間において、透明蓋２Ｄの下面にはそれぞれ電気機器の図柄２２Ｄが表示される。
【００２４】
　そして、カバー体１１Ｄの上に透明蓋２Ｄを被せ、位置決め突起２９Ｄを位置決め穴１６Ｄに挿入して、透明蓋２Ｄを図柄２２Ｄが表面から視認できるように固定する。
　また、カバー体１１Ｄの上面に設けられた差し込み口１４Ｄ及びスイッチ１５Ｄは、それぞれ差し込み口用窓孔２７Ｄ及びスイッチ用窓孔２８Ｄを通して透明蓋２Ｄの外面に露出する。
　その他の構成は、実施例１乃至４とほぼ同様である。
【実施例６】
【００２５】
　図７に示すように、座体１Ｅの一側において、カバー体１１Ｅの上面に複数対の差し込み口１４Ｅが設けられ、座体１Ｅの他側の側面にそれぞれ差し込み口１４Ｅに対応する複数のスイッチ１５Ｅが、カバー体１１Ｅと台座１２Ｅとの接合部に設置される。
　カバー体１１Ｅの上面他側部及びこれに連続した側面上部に亘って、嵌合部１３Ｅが陥没して形成される。また、嵌合部１３Ｅの下端両側及び奥端両側には、それぞれ挿入穴１３６Ｅが設けられる。
　さらに、カバー体１１Ｅの上面において嵌合部１３Ｅの底面には、各差し込み口１４Ｅの境界部に相当する位置に分割線１７Ｅが設けられ、嵌合部１３Ｅは分割線１７Ｅによって差し込み口１４にそれぞれ対応した複数の区画１３１Ｅに区分けされている。また、嵌合部１３Ｅの奥端面には、回路ユニットへ電気的に接続されたランプ１８Ｅ等の発光体が各区画１３１Ｅに対応してそれぞれ設置されている。
【００２６】
　透明蓋２Ｅは、嵌合部１３Ｅの形状に合うよう断面Ｌ字形に形成され、その周縁において嵌合部１３Ｅの挿入穴１３６Ｅと対応する位置には、それぞれ突出片２５Ｅが設けられる。
　また、透明蓋２Ｅの水平片の下面には、各区画１３１Ｅにそれぞれ対応して複数の電気機器の図柄２２Ｅが表示される。
　嵌合部１３Ｅに透明蓋２Ｅを被せ、突出片２５Ｅを挿入穴１３６Ｅに差し込んで固定する。
　すると、透明蓋２Ｅの表示である図柄２２Ｅは、各区画１３１Ｅに配置されて差し込み口１４Ｅに隣接し、ランプ１８Ｅで照らされるので、夜間等でもはっきり見ることができる。
　その他の構成は、実施例１乃至５とほぼ同様である。
【産業上の利用可能性】
【００２７】
　透明蓋に表示される電気機器は、文字によって表わすこともできる。また、表示は、差し込み口と対応する電気機器以外に、文字や図柄による注意事項や使用方法等の説明、商標、装飾模様等とし、印刷、シール接着、組立、エッチング、一体成形、レーザー加工等によって形成することも可能である。
　さらに、実施例１乃至実施例５と同じ構造の嵌合部に、実施例６のようにランプ等の発光体を設置しても良い。
　また、複数の発光体を、異なる方向から表示物を照らすように配置することもできる。
【図面の簡単な説明】
【００２８】
【図１】実施例１を示すコンセントケースの分解斜視図。
【図２】実施例１を示すコンセントケースの使用時の斜視図。
【図３】実施例２を示すコンセントケースの分解斜視図。
【図４】実施例３を示すコンセントケースの分解斜視図。
【図５】実施例４を示すコンセントケースの分解斜視図。
【図６】実施例５を示すコンセントケースの分解斜視図。
【図７】実施例６を示すコンセントケースの分解斜視図。
【符号の説明】
【００２９】
　１，１Ａ，１Ｂ，１Ｃ，１Ｄ，１Ｅ　座体
　１１，１１Ａ，１１Ｂ，１１Ｃ，１１Ｄ，１１Ｅ　カバー体
　１２，１２Ａ，１２Ｃ，１２Ｄ，１２Ｅ　台座
　１３，１３Ａ，１３Ｂ，１３Ｃ，１３Ｄ，１３Ｅ　嵌合部
　１３１　軸受穴
　１３１Ｅ　区画
　１３２　係止部
　１３３Ａ　ガイド溝
　１３４Ｂ，１６Ｄ　位置決め穴
　１３５Ｃ，１３６Ｅ　挿入穴
　１４，１４Ａ，１４Ｂ，１４Ｃ，１４Ｄ，１４Ｅ　差し込み口
　１５，１５Ａ，１５Ｂ，１５Ｃ，１５Ｄ，１５Ｅ　スイッチ
　１７Ｅ　分割線
　１８Ｅ　ランプ
　２，２Ａ，２Ｂ，２Ｃ，２Ｄ，２Ｅ　透明蓋
　２１　軸突起
　２２，２２Ａ，２２Ｂ，２２Ｃ，２２Ｄ，２２Ｅ　図柄
　２３Ａ　段部
　２４Ｂ，２９Ｄ　位置決め突起
　２５Ｃ，２５Ｅ　突出片
　２７Ｄ　差し込み口用窓孔
　２６Ｃ，２８Ｄ　スイッチ用窓孔
　４，５　プラグ
【図１】
0003099146.tif 000003
【図２】
0003099146.tif 000004
【図３】
0003099146.tif 000005
【図４】
0003099146.tif 000006
【図５】
0003099146.tif 000007
【図６】
0003099146.tif 000008
【図７】
0003099146.tif 000009